(57)【要約】【課題】ＰＯＮシステムにおいて一つの波長を異なった伝送レートで共有するための新たな手段を提供する。【解決手段】ＰＯＮシステムにおける局側装置１は、高速と低速の二種類の異なった伝送レートに対応する高速用及び低速用の局側インターフェース３，４を備えている。局側装置１が備えている時間管理部６は、高速及び低速の伝送レートを使う時間帯を管理し、高速用及び低速用の局側インターフェース３，４がそれぞれ動作する時間帯を指示する。【選択図】      図１
2007274280.tif 000002
【特許請求の範囲】
【請求項１】
一つの波長を異なった伝送レートで共用するためのＰＯＮシステムにおける局側装置であって、
異なった前記伝送レートのそれぞれに対応する複数の局側インターフェースと、
異なった前記伝送レートを使う時間帯を管理し前記局側インターフェースの動作する時間帯を指示する時間管理部と、
を備えたことを特徴とするＰＯＮシステムにおける局側装置。
【請求項２】
前記複数の局側インターフェースとＰＯＮシステム用の光伝送媒体との間に設けられる光スイッチをさらに備え、この光スイッチは、ある局側インターフェースが動作しない時間帯においては当該局側インターフェースと前記光伝送媒体との間の通信を遮断する請求項１に記載のＰＯＮシステムにおける局側装置。
【請求項３】
一つの波長を異なった伝送レートで共用するためのＰＯＮシステムにおける伝送レート切替装置であって、
異なった伝送レートに対応する複数の局側インターフェースに対して当該局側インターフェースが動作する時間帯を割り当てる時間管理部と、
この時間管理部によって割り当てられた時間帯に応じて当該時間帯に対応した前記局側インターフェースとＰＯＮシステム用の光伝送媒体とを接続させる光スイッチと、
を備えたことを特徴とするＰＯＮシステムにおける伝送レート切替装置。
【請求項４】
一つの波長を異なった伝送レートで共用するためのＰＯＮシステムにおける通信方法であって、
異なった前記伝送レートごとに局側インターフェースを対応させ、前記伝送レートごとに使う時間帯を分け、その各時間帯に使う伝送レートに対応した前記局側インターフェースをそれぞれ動作させ、局側装置と宅側端末装置との間で通信を行うことを特徴とするＰＯＮシステムにおける通信方法。
【発明の詳細な説明】
【技術分野】
【０００１】
この発明は、集約局と複数の加入者宅とを光通信網で結ぶＰＯＮシステムにおける局側装置、伝送レート切替装置、及び、通信方法に関する。
【背景技術】
【０００２】
従来知られている光通信システムとして、集約局にある局側装置と、複数の加入者宅に設置した宅側端末装置とが光ファイバ網によって接続されたものがある。このような光通信システムとして、例えば特許文献１、特許文献２に示しているＰＯＮ（Ｐａｓｓｉｖｅ  Ｏｐｔｉｃａｌ  Ｎｅｔｗｏｒｋ）システムがある。ＰＯＮシステムは、一つの局側装置に接続した光ファイバから光カプラを介して複数の光ファイバ支線が分岐され、各光ファイバ支線に宅側の端末装置が接続されている。
【０００３】
宅側端末装置から局側装置への上り回線は時分割多重方式が用いられており、反対の下り回線はブロードキャスト方式が用いられている。これら上り回線と下り回線とでは異なる波長の光が用いられており、上下回線での信号の衝突を防いでいる。
【０００４】
このようなＰＯＮシステムにおいて、今後、伝送レート（伝送速度）の高速化が計画されている。既存のＰＯＮシステムにおける伝送レートを高速化させるために、集約局においては、局側装置の更新によって一度に対応できる。しかし、加入者宅においては、既に設けられている多数の宅側端末装置が一度に（同時に）新しい高速化に対応したものに置き換えられることは不可能である。つまり、加入者宅において、加入者の宅側端末装置の更新のタイミングが異なることから、既存の宅側端末装置は高速化対応のものに順次置き換えられることとなる。したがって、加入者宅の側において、従来の低速対応の宅側端末装置と、高速対応の宅側端末装置とが混在した状態となり、上り回線と下り回線のそれぞれ一つの波長について、高速と低速の二種類の伝送レートの信号が存在するという過渡期が生じることが考えられる。
【０００５】
【特許文献１】特開２００４−６４７４９号公報
【特許文献２】特開２００４−２８９７８０号公報
【発明の開示】
【発明が解決しようとする課題】
【０００６】
前記のような過渡期において、高速と低速との両者の伝送レートに、例えば１Ｇｂｐｓと１０Ｇｂｐｓといった大きな差がある場合、伝送規格や符号化ルールなどが相異することにより、局側装置は高速と低速のそれぞれの宅側端末装置からの二つの異なる伝送レートの信号を認識する必要がある。そのためには局側装置において、両者の信号の識別が可能となるものが求められるが、インターフェースに高速と低速との互換性を持たせるには無理があった。したがってこれを可能とする局側装置の実現は困難であり、実現させるためには非常に高価なものとなってしまうという問題点がある。
【０００７】
そこで、この発明は、ＰＯＮシステムにおいて一つの波長を異なった伝送レートで共有するための新たな手段を提供することを目的とする。
【課題を解決するための手段】
【０００８】
前記目的を達成するためのこの発明は、一つの波長を異なった伝送レートで共用するためのＰＯＮシステムにおける局側装置であって、異なった前記伝送レートのそれぞれに対応する複数の局側インターフェースと、異なった前記伝送レートを使う時間帯を管理し前記局側インターフェースの動作する時間帯を指示する時間管理部とを備えたものである。
【０００９】
このように構成された局側装置によれば、時間管理部は、一つの波長について異なった伝送レートを使う時間帯を管理し、各時間帯に使う伝送レートに対応した局側インターフェースが動作するよう指示する。これにより、異なった伝送レートのそれぞれが一つの時間帯ごとに使用される。このため、一つの波長を異なった伝送レートで共有することができる。
【００１０】
また、この局側装置において、前記複数の局側インターフェースとＰＯＮシステム用の光伝送媒体との間に設けられる光スイッチをさらに備え、この光スイッチは、ある局側インターフェースが動作しない時間帯においては当該局側インターフェースと前記光伝送媒体との間の通信を遮断するのが好ましい。
これによれば、ある局側インターフェースが動作しない時間帯においては、当該局側インターフェースに対応した伝送レートによる通信が成されない。これにより、異なった伝送レートによって同時に通信が行われることを防止できる。
【００１１】
また、この発明は、一つの波長を異なった伝送レートで共用するためのＰＯＮシステムにおける伝送レート切替装置であって、異なった伝送レートに対応する複数の局側インターフェースに対して当該局側インターフェースが動作する時間帯を割り当てる時間管理部と、この時間管理部によって割り当てられた時間帯に応じて当該時間帯に対応した前記局側インターフェースとＰＯＮシステム用の光伝送媒体とを接続させる光スイッチとを備えたものである。
【００１２】
このように構成された伝送レート切替装置によれば、時間管理部によって伝送レートごとに割り当てられた時間帯に応じて、光スイッチは局側インターフェースとＰＯＮシステム用の光伝送媒体とを接続させる。したがって、割り当てられた時間帯ごとに、一つの伝送レートによる通信が可能となるため、一つの波長を異なった伝送レートで共有することができる。
【００１３】
また、この発明は、一つの波長を異なった伝送レートで共用するためのＰＯＮシステムにおける通信方法であって、異なった前記伝送レートごとに局側インターフェースを対応させ、前記伝送レートごとに使う時間帯を分け、その各時間帯に使う伝送レートに対応した前記局側インターフェースをそれぞれ動作させ、局側装置と宅側端末装置との間で通信を行わせることにより行われる。
これによれば、分けられた時間帯ごとに、その時間帯の伝送レートに対応した局側インターフェースを動作させ通信を行う方法であるため、時間帯ごとに一つの伝送レートが使用される。このため、一つの波長を異なった伝送レートで共有することができる。
【発明の効果】
【００１４】
この発明によれば、異なった伝送レートに対応した局側インターフェースが、一つの時間帯ごとにそれぞれ分けて使用されるため、局側インターフェースとしては高速と低速の一方の伝送レートに合ったもので通信を行うことができながら、さらに局側装置としても一つの波長で異なった伝送レートに対応した通信を行うことができる。
【発明を実施するための最良の形態】
【００１５】
以下、この発明の実施の形態について図面を参照しながら説明する。
図１はこの発明の局側装置を含むＰＯＮ（Ｐａｓｓｉｖｅ  Ｏｐｔｉｃａｌ  Ｎｅｔｗｏｒｋ）システムの構成を示す図である。集約局にある一つの局側装置１と、複数の加入者宅にある宅側端末装置（以下、宅側端末という）とは光ファイバ網によって接続されている。この光ファイバ網は、局側装置１と接続された光伝送媒体としての光ファイバ１０から光カプラ１２を介して複数の光ファイバ支線１１ａ，１１ｂ…１１ｎ…に分岐された構成とされ、これら光ファイバ支線１１ａ，１１ｂ…１１ｎ…のそれぞれに、宅側端末２ａ，２ｂ及び宅側端末７が接続されている。
【００１６】
このように構成されたＰＯＮシステムでは、異なる二つの波長（１３１０ｎｍと１４９０ｎｍ）の光を波長多重できることを利用して、一本の光ファイバによって上りと下りの双方向の通信を行っている。
さらに、このシステムは、上り下りについてある伝送レートで用いられていた既存のシステムに、新しい通信サービス向けに、より高速の伝送レートで用いられる局側インターフェース４と宅側端末７とが追加されたものである。このため、上り回線と下り回線のそれぞれ一つの波長について、既存の低速の伝送レートと、新しい高速の伝送レートとの二種類の信号を存在させることとなる。
【００１７】
局側装置１において、高速と低速の異なった伝送レートに対応する二種類の局側インターフェース３，４が設けられている。第一の局側インターフェース３は、既存のＰＯＮシステムに用いられていたものであり、例えば１Ｇｂｐｓの伝送レートに対応したものとされている。一方、第二の局側インターフェース４は、新しい通信サービス向けに新たに追加されたものであり、例えば１０Ｇｂｐｓの伝送レートに対応したものとされている。
つまり、局側装置１には低速対応である第一の局側インターフェース３と、高速対応である第二の局側インターフェース４とが存在している。
【００１８】
一方、宅側装置２については、低速の伝送レートに対応した宅側端末２ａ，２ｂと、高速の伝送レートに対応した宅側端末７との二種類が存在している。第一の宅側端末２ａ，２ｂは、既存のＰＯＮシステムに用いられていたものであり、１Ｇｂｐｓの伝送レートに対応したものとされている。一方、第二の宅側端末７は、新しい通信サービス向けに新たに追加されたものであり、１０Ｇｂｐｓの伝送レートに対応したものとされている。
つまり、宅側には低速対応である第一の宅側端末２ａ，２ｂと、高速対応である第二の宅側端末７とが混在している。なお、高速対応の宅側端末７は、新規加入者や、新しいサービスへの更新加入者の自宅に設置されるものとなる。
【００１９】
局側装置１についてさらに説明する。
局側装置１は光スイッチ５とこの光スイッチ５を制御する時間管理部６とをさらに備えている。光スイッチ５は両局側インターフェース３，４と光ファイバ１０との間に介在して接続されている。そして、時間管理部６は、前記１Ｇｂｐｓと１０Ｇｂｐｓの異なった伝送レートを使う時間帯を管理し、それぞれの伝送レートに対応している局側インターフェース３，４の動作する時間帯を指示するように動作する。つまり、両局側インターフェース３，４は並列で光スイッチ５に接続されており、時間管理部６はこの光スイッチ５における接続動作を制御する。時間管理部６はマイコンにより構成できる。光スイッチ５の具体的な構成は後に説明する。
【００２０】
局側装置１と宅側端末２ａ，２ｂ，７のそれぞれとは網同期しており、時間管理部６によって局側装置１と宅側端末２，２ｂ，７とが通信を行う際の時間管理が行われる。光スイッチ５は時間管理部６の指示によって切り替えられる。具体的には、低速対応の宅側端末２ａ，２ｂ（以下、まとめて宅側端末２ともいう）との間の通信は、低速対応の局側インターフェース３によって通信可能とし、また、高速対応の宅側端末７との間の通信は、高速対応の局側インターフェース４によって通信可能とするように、光スイッチ５は切り替えられる。そして、光スイッチ５における切り替えは、時間管理部６によって設定され管理された時分割スケジュールによって行われる。
【００２１】
図２は前記時間管理部６が管理している時分割スケジュールの例を示した図である。図２において、通常の通信時間帯として低速用ｔ１と高速用ｔ２、新規通信受付時間帯として低速用ｔ３と高速用ｔ４とに時分割されている。このように分割されたｔ１，ｔ２，ｔ３，ｔ４の複数の時間帯を一単位の時分割スケジュールとして時間管理部６は管理している。この時分割スケジュールが繰り返されるように時間管理部６は設定している。なお、各時間帯の長さは時間管理部６によって任意に設定されており、宅側端末２，７の数などに応じて変更可能とされている。また、一単位の時分割スケジュール内に、低速用、高速用の通信時間帯ｔ１，ｔ２が複数含まれていてもよく、また、これら時間帯の順番は様々に設定できる。
【００２２】
通信時間帯ｔ１，ｔ２では、宅側端末２，７からの信号を受信、又は、局側装置１からの送信を行うための時間帯である。低速用時間帯ｔ１では、時間管理部６によって、低速用の局側インターフェース３（図１参照）が光ファイバ１０と繋がるように光スイッチ５が切り替えられ、低速用の宅側端末２との通信が行われる。高速用時間帯ｔ２では、時間管理部６によって、高速用の局側インターフェース４が光ファイバ１０と繋がるように光スイッチ５が切り替えられ、高速用の宅側端末７との通信が行われる。
【００２３】
新規通信受付時間帯ｔ３，ｔ４は、新規に宅側端末２，７が接続を行うために局側装置１に対して接続を求める要求信号を出して良いとされた時間帯である。この新規通信受付時間帯ｔ３，ｔ４に、新規に接続する宅側端末２，７は局側装置１へ接続要求を出す。
【００２４】
なお、下り回線において、低速用通信時間帯ｔ１の際、高速用宅側端末７にとっては通信時間外とみなされる。つまり、局側装置１からの低速での伝送レートによるデータは高速用宅側端末７で無視される。逆に、高速用通信時間帯ｔ２の際、低速用宅側端末７にとっては通信時間外とみなされる。つまり、局側装置１からの高速での伝送レートによるデータは低速用宅側端末２で無視される。これは、局側装置１からの下り信号にヘッダが含まれており、各宅側端末２，７は、対応する伝送レートと異なる伝送レートによる信号のヘッダを正しく読みとることができないため、宅側端末２，７に合わない伝送レートの信号は無視されることとなる。
【００２５】
図３は宅側端末２，７において接続開始がされるまでの動作を説明する図である。
接続開始動作について説明する。局側装置１は、光スイッチ５の切り替えにより、高速用及び低速用について交互にそれぞれの伝送レートでブロードキャスト信号を宅側へ送信する。この信号には、新規通信受付時間帯と現在時刻とについての情報が含まれる（ステップＳ１、ステップＳ１１）。高速用と低速用の信号のそれぞれにはヘッダが付されており、宅側端末２，７のそれぞれは伝送レートが合った信号のヘッダを認識でき、伝送レートの合わないものは無視する。
【００２６】
前記信号を受けた宅側端末２，７のそれぞれは次の処理を行う。宅側端末２，７の時刻設定を行い、前記信号を受けたタイミングに基づいて内部の動作クロックを局側装置１の動作クロックに合わせる。さらに、次の新規通信受付時間（新規通信受付時間帯ｔ３，ｔ４）の認識を行う。
【００２７】
そして、宅側端末２，７のそれぞれは、認識したそれぞれの新規通信受付時間帯ｔ３，ｔ４に、局側装置１へ接続要求を出す（ステップＳ２、ステップＳ１２）。低速用新規通信受付時間帯ｔ３は、低速用の局側インターフェース３と宅側との間で通信可能となるように光スイッチ５が、時間管理部６の働きにより、切り替えられた状態にある。また、高速用新規通信受付時間帯ｔ４は、高速用の局側インターフェース４と宅側との間で通信可能となるように光スイッチ５が、時間管理部６の働きにより、切り替えられた状態にある。これにより、宅側端末２，７のそれぞれから発せられた接続要求を、局側装置１はエラーが生じることなくスムーズに受信できる。
【００２８】
そして、局側装置１から、接続許可の信号とともに個々の端末管理用として割り当てられたＩＤ番号が、宅側端末２，７のそれぞれに対して送信され（ステップＳ３，ステップＳ１３）、局側装置１と宅側端末２，７のそれぞれとの間で接続が開始された状態となる。その後、図４に示している通信が行われる。
【００２９】
図４は接続状態にある局側装置と複数の宅側端末との関係を説明する図である。この図４は、図２で示した通信用時間帯での通信状態を示しており、低速用通信時間帯と高速用通信時間帯とが交互に連続した状態を説明している。また、この図では、二つの低速用宅側端末２ａ，２ｂ及び一つの高速用宅側端末７が、局側装置１と接続された状態としている。
【００３０】
局側装置１から所定の信号が宅側端末２ａ，２ｂ，７のそれぞれに提供されることで、当該宅側端末２ａ，２ｂ，７はデータを局側装置１へ送ることができる構成とされている。つまり、宅側端末２ａ，２ｂ，７のそれぞれは、送出開始時間帯と送出可能量とについて指定された送信許可命令信号（図４の符号Ｃ）を、局側装置１から受けることによって、当該局側装置１に対して応答データ（図４の符号Ｒ）を送信できる。この送信許可命令信号は、宅側端末２ａ，２ｂ，７から要求され局側装置１から送信された応答データに含ませることができる。
【００３１】
この送出開始時間帯と送出可能量とは、前記時間管理部６において設定され管理されている。そして、時間管理部６は、低速用通信時間帯ｔ１１，ｔ１２では、低速用の局側インターフェース３と低速用の宅側端末２，２ｂとを通信可能とし、また、高速用通信時間帯ｔ２１，ｔ２２では、高速用の局側インターフェース４と高速用の宅側端末７とを通信可能とするように、光スイッチ５を交互に切り替えている。そして、図４に示しているように、例えば低速用通信時間帯ｔ２１において、一つの宅側端末２ａと他の宅側端末２ａとの間で通信可能とされている。この低速用通信時間帯ｔ２１では、光スイッチ５は、高速用の局側インターフェース４と光ファイバ１０との間の通信を遮断し、つまり光の導通を遮断し、高速用の局側インターフェース４が動作しない時間帯としている。
【００３２】
また、送出開始時間帯の切り替えタイミング（つまり、高速と低速との時間帯の使用比率）及び送出可能量は、宅側端末の数の比率や高速又は低速の使用頻度などの状況に応じて、時間管理部６において変更可能とされている。つまり、時間管理部６が宅側の状況を認識し、送出開始時間帯の切り替えタイミング及び送信可能量を逐次見直すことで設定値を変えることができる。これにより、効率の良い適切な通信環境を得ることができる。
【００３３】
各通信時間帯において、局側装置１と宅側端末２ａ，２ｂ，７との間で送受信される要求データ及び応答データには、図３で示した接続開始動作において個々の端末管理用として割り当てられた前記ＩＤ番号の情報が含まれている。これにより、局側装置１からの信号は、複数の宅側端末２ａ，２ｂ，７のための応答データが含まれたブロードキャスト信号とされているが、宅側端末２ａ，２ｂ，７のそれぞれは、低速又は高速の伝送レートが合って認識できるデータのうち、自己のＩＤ番号宛とされたデータを読みとることができる。
【００３４】
図５は光スイッチ５の構成を示している図である。
図５において、下り回線で使用される光の波長がλ１とされ、上り回線で使用される光の波長がλ２とされている。この光スイッチ５は、複数の波長選択フィルタ２１と、下り信号用のスイッチ部２２と、上り信号用のスイッチ部２３とを有している。
【００３５】
この光スイッチ５において、波長選択フィルタ２１は上り信号と下り信号とを波長の違いにより分ける。下り信号用のスイッチ部２２と上り信号用のスイッチ部２３とは、時間管理部６の指示によって、それぞれＯＮ／ＯＦＦ切り替え動作が行われる構成とされ、分けられた上り信号と下り信号とは再び波長選択フィルタ２１によって合波される。また、光の向きを一方向に揃え、反対方向の光を抑えるために光アイソレータ２４が、各波長選択フィルタ２１とスイッチ部２２，２３のそれぞれとの間に介在している。波長選択フィルタ２１をＷＤＭフィルタとすることができ、スイッチ部２２，２３をマッハツェンダー変調器を用いた構成とできる。
【００３６】
このように構成された光スイッチ５は、高速用と低速用の局側インターフェース３，４のうちの一方を動作させない時間帯では、その一方の局側インターフェースと光ファイバ１０との間で光の導通を遮断している。そして、他方の局側インターフェースと光ファイバ１０との間で光の導通を可能としている。
【００３７】
図６はこの発明の伝送レート切替装置を含むＰＯＮシステムの構成を示す図である。
このＰＯＮシステムは、既存の構成に、高速通信対応のための新たな局側装置２７と新たな宅側端末７とが付加され、さらに、新たに伝送レート切替装置３０が付加されて得た構成である。なお、前記既存の構成とは、現システムにおいて用いられている低速通信用の局側装置２６、光ファイバ１０、光カプラ１２、光ファイバ支線１１ａ，１１ｂ、及び、現システムにおいて用いられている低速用の宅側端末２ａ，２ｂによって構成されたものである。
【００３８】
また、図１に示したＰＯＮシステムは、局側装置１内に光スイッチ５と時間管理部６とが含まれているのに対して、図６のＰＯＮシステムは、光スイッチ５と時間管理部６とを備えた伝送レート切替装置３０が、局側装置２６と別体として設けられた構成としている。すなわち、図６では、高速用の局側装置２７をさらに設けるに際し、光スイッチ５と時間管理部６とを備えた伝送レート切替装置３０を、低速用の局側装置２６と光ファイバ１０との間に介在させている。そして、高速用の局側装置２７と低速用の局側装置２６とがこの伝送レート切替装置３０に並列に接続されている。
【００３９】
低速用の局側装置２６は図１に示した低速用の局側インターフェース３を有し、高速用の局側装置２７は図１に示した高速用の局側インターフェース４を有しており、図６の構成は伝送レート切替装置３０が各局側装置２６，２７と別体とされているものの、全体の機能としては図１の構成と同じものとなる。
【００４０】
図６のＰＯＮシステムにおいても図１の場合と同様の動作が行われる。つまり、伝送レート切替装置３０の時間管理部６は、高速と低速の異なった伝送レートに対応した二つの局側装置２６，２７がそれぞれ有している局側インターフェース３，４に対して、当該局側インターフェース３，４が動作する時間帯を割り当てる。そして、光スイッチ５は、この時間管理部６によって割り当てられた時間帯に応じて切り替えられ、当該時間帯に対応した局側インターフェース３，４のうちの一方と光ファイバ１０とを接続させる。
【００４１】
そして、時間管理部６によって時分割スケジュールによる高速用と低速用との切り替えが行われ（図２参照）、接続開始動作（図３参照）が行われ、図４に示した接続状態が得られる。
【００４２】
以上の各実施の形態によるＰＯＮシステムによって行われる通信方法は、低速と高速との異なった伝送レートごとに低速用と高速用の局側インターフェース３，４を対応させ、異なった前記伝送レートごとに使う時間帯を分け、その各時間帯に使う伝送レートに対応した局側インターフェース３，４をそれぞれ動作させ、局側と宅側の端末装置２，７との間で通信を行う方法である。この方法は、分割された各時間帯に、その時間帯の伝送レートに対応した局側インターフェース３，４の一方を動作させ通信を行う方法であるため、分割された一つの時間帯ごとに一つの伝送レートが使用されることとなる。このため、一つの波長を異なった伝送レートで共有することが可能となる。
【００４３】
以上の各実施の形態によれば、低速用の既存のシステムに対して、高速用の宅側端末７を宅側に新たに設置するに際し、局側において、光スイッチ５と時間管理部６と高速用の局側インターフェース４（高速用の局側装置２７）を追加することによって対応できる。つまり、局側装置側における変更により、既存のシステムに新規加入者用として高速通信用の宅側端末７を加えることができ、かつ、既存の低速の宅側端末２のサービスをそのまま保護することができる。
【００４４】
これにより、使う光の波長領域が限定されているシステムにおいて、新たな波長を確保することなく、伝送レートの速い新しいサービスを加えることができる。つまり、一つの波長を異なった伝送レートで共有することができる。そして、後においては、低速であった宅側装置についても順次高速対応のものへ移行させることができる。このように伝送レートが低速と高速の二種類となる過渡期においても、局側のインターフェースに高速と低速との無理な互換性を持たせる必要がなくなり、局側装置におけるコスト低減が図れる。
【００４５】
なお、前記各実施の形態では、一つの波長を低速用と高速用の二種類の伝送レートで共有する場合について説明したが、伝送レートについては三種類以上であってもよい。この場合、それぞれの伝送レートに対応して局側インターフェースを追加し、時間管理部において、三種類の伝送レートについて時間分割させればよい。
【図面の簡単な説明】
【００４６】
【図１】この発明の局側装置を含むＰＯＮシステムの構成を示す図である。
【図２】時間管理部が管理している時分割スケジュールの例を示した図である。
【図３】宅側端末において接続開始がされるまでの動作を説明する図である。
【図４】接続状態にある局側装置と複数の宅側端末との関係を説明する図である。
【図５】光スイッチの構成を示している図である。
【図６】この発明の伝送レート切替装置を含むＰＯＮシステムの構成を示す図である。
【符号の説明】
【００４７】
１  局側装置
２，２ａ，２ｂ  加入者宅の宅側端末装置（宅側端末）
３，４  局側インターフェース
５  光スイッチ
６  時間管理部
７  宅側端末装置（宅側端末）
１０  光ファイバ
１１  光ファイバ支線
２６  局側装置
２７  局側装置
３０  伝送レート切替装置
【図１】
2007274280.tif 000003
【図２】
2007274280.tif 000004
【図３】
2007274280.tif 000005
【図４】
2007274280.tif 000006
【図５】
2007274280.tif 000007
【図６】
2007274280.tif 000008